(57)【要約】【課題】効率よく洗浄を行ない簡便な装置により洗浄を行なうことができ、省スペース化を図ることができるシート状物の洗浄方法を提供すること。【解決手段】走行するシート状物の一定領域を仕切る１対のガス流を形成し、この一定領域のシート状物上面にその幅方向に対応したスリット状の開口を有する洗浄液供給ノズルから洗浄液をシート状物の幅１ｍあたり５Ｌ／ｍｉｎ〜５０Ｌ／ｍｉｎで供給し、洗浄液を１対のガス流間のシート状物の上面に堆積、滞留させると共に、１対のガス流間のシート状物上に滞留する洗浄液の上流と下流間での混合を抑制することにより、シート状物上面を上流側から下流側へ向かってより清浄度の高い洗浄液へ移行して洗浄を行ない、下流側のガス流によりシート状物上面の洗浄液の除去を行なう。【選択図】図１
2006290620.tif 000002
【特許請求の範囲】
【請求項１】
連続走行するシート状物の上面を洗浄液を用いて洗浄する際、
シート状物上に設けられたガスノズルからガスを供給してシート状物の走行方向に対して一定領域を仕切る１対のガス流を形成し、
この１対のガス流で仕切られた一定領域のシート状物上面にその幅方向に対応したスリット状の開口を有する洗浄液供給ノズルから洗浄液をシート状物の幅１ｍあたり５Ｌ／ｍｉｎ〜５０Ｌ／ｍｉｎで供給し、
洗浄液供給ノズルから供給された洗浄液を１対のガス流間に位置するシート状物の上面に堆積、滞留させると共に、１対のガス流間のシート状物上に滞留する洗浄液の上流と下流間での混合を抑制することにより、シート状物上面を上流側から下流側へ向かってより清浄度の高い洗浄液へ移行して洗浄を行ない、
下流側のガス流によりシート状物上面の洗浄液の除去を行なうシート状物の洗浄方法。
【請求項２】
洗浄液供給ノズルが、シート状物の走行方向に添って順次２以上が設けられたものである請求項１記載のシート状物の洗浄方法。
【請求項３】
洗浄液が導電率２μＳ／ｃｍ以下の純水である請求項１又は請求項２記載のシート状物の洗浄方法。
【請求項４】
シート状物の走行方向に対して一定領域を仕切る１対のガス流を形成する上流側のガスノズル上部、下流側のガスノズル上部、およびガスノズルと洗浄液供給ノズルとの間から選ばれる少なくとも１箇所に、シート状物の幅全体に亘って洗浄液飛散防止用仕切り板を設けた請求項１〜３のいずれか記載のシート状物の洗浄方法。
【請求項５】
シート状物がエンドレスベルトである請求項１〜４のいずれか記載のシート状物の洗浄方法。
【請求項６】
実質的に水平に連続走行するシート状物上に設けられ、該シート状物の走行方向に対して一定領域を仕切る鉛直下向きの上流側ガス流と下流側ガス流とをそれぞれ形成する上流側ガスノズルおよび下流側ガスノズルと、上流側ガス流および下流側ガス流で仕切られた一定領域のシート状物上面に、その幅方向に対応したスリット状の開口を有する洗浄液を供給する洗浄液供給ノズルとを有する洗浄装置であって、洗浄液供給ノズルが、シート状物の走行方向に添って順次２以上が設けられたものであるシート状物の洗浄装置。
【請求項７】
シート状物の走行方向に対して一定領域を仕切る１対のガス流を形成するガスノズル上部、および／または、ガスノズルと洗浄液供給ノズルとの間に、シート状物の幅全体に亘って洗浄液飛散防止用仕切り板を少なくとも一つ以上設けた請求項６記載のシート状物の洗浄装置。
【請求項８】
シート状物がエンドレスベルトである請求項６又は７記載のシート状物の洗浄装置。
【請求項９】
相対するベルト面が同方向へ同一速度で走行するように配設された２個のエンドレスベルトの相対するベルト面と、それらの両側辺部にあるベルト面で挟まれた状態で走行する連続したガスケットとで囲まれた空間に、その一端より重合性原料を供給し、加熱ゾーン内でベルトの走行と共に重合性原料を固化させ、その他端より板状重合物を取り出して板状重合物を製造する際、
前記２個のエンドレスベルトの相対するベルト面のうちの少なくとも一方の面を、請求項１〜５のいずれかのシート状物の洗浄方法により洗浄する板状重合物の製造方法。
【請求項１０】
重合性原料が、メタクリル酸メチルを含む請求項９記載の板状重合物の製造方法。
【発明の詳細な説明】
【技術分野】
【０００１】
本発明は、連続走行するシート状物の洗浄方法やこれに用いるシート状物の洗浄装置、板状重合物の製造方法に関し、特に、簡易な装置により簡便に行なうことができるシート状物の洗浄方法やこれに用いるシート状物の洗浄装置、板状重合物の製造方法に関する。
【背景技術】
【０００２】
重合性化合物を連続的に重合して板状の重合物を製造する方法として、同方向へ同一速度で走行する対向して配設された１対のエンドレスベルトの対向面間と、それらの両側辺部にあるベルト面で挟まれた状態で走行する連続したガスケットとで囲まれた空間に、その一端より重合性原料を供給し、加熱ゾーン内でベルトの走行と共に重合性原料を固化させ、その他端より板状重合物を得る連続製板方法が知られている。かかるエンドレスベルトは、板状重合物の製造に伴って、重合物からの析出物あるいは剥離剤等の添加物等が付着堆積することで、ベルト表面が経時的に汚染されてくる。このようなエンドレスベルトの汚染が酷くなると製造される板状重合物表面外観や表面機能性を損ねるため、該汚染物の除去が必要となる。しかし、エンドレスベルト表面は高い表面平滑性が必要とされているため、ベルト表面に傷等を発生させることや、汚染物を除去する際の除去斑や残留物が残ると製品外観を損ねる原因となる。
【０００３】
シート状物に付着した堆積物の除去方法として、シート状物上に洗浄液を供給し、その後エアナイフ等で洗浄液を除去乾燥する洗浄方法が用いられている。このような洗浄方法を実施する装置としては、その一例として、シート状物を搬送する搬送装置、板状物へスプレー等で洗浄液を散布供給する洗浄液供給部、エアを供給しシート状物上の洗浄液を除去乾燥させる乾燥部などからなるものが知られている。
【０００４】
上記洗浄装置は液晶表示用ガラス基板に代表される枚葉洗浄に広く用いられており、このような洗浄装置による基板の洗浄においては、洗浄液が供給された基板が、上面に洗浄液を乗せながらエアナイフ等の洗浄液除去乾燥部へ搬送され、基板上の洗浄液はエアナイフ等を通過する際にエア圧力によりその大部分が搬送上流側へと集められ、基板の搬送上流端から吹き飛ばされることで除去されている（特許文献１）。
【０００５】
ところがエンドレスベルトのような連続シート状物では枚葉式のような搬送方向での端部がないため、洗浄液の大部分はエアナイフ等を通過する際のエア圧により搬送方向上流側へ移動させられ洗浄液範囲は広範囲となる。洗浄液が必要以上に広範囲にベルト上に滞在すると周囲環境からの異物の混入等の影響により、洗浄液自体が汚染されてしまい洗浄効果を十分に得ることができない。
【０００６】
上記問題点を解決する手段として、基板上の異物等が一度濡れてから基板表面を移動した際に基板表面に固着し、基板表面が濡れ始めた時期に洗浄斑が生じることを防ぐため、洗浄液を基板の搬送方向と反対の方向に流れて基板を覆うように基板表面に供給するステップと、基板表面の洗浄液の基板表面との接触面積を拡大する流れに対して、その流れを押し留めるように洗浄液の斜め上方からカーテン状のエアを吹き付けるステップを含み、基板上を流れてきた洗浄液をエアによって押しとどめ、還流させながら排出することが提案されている（特許文献２）。
【０００７】
しかしながら、シート状物の汚染物質が洗浄液に溶解するものであるときには、シート状物上に堆積している洗浄液が汚染され、汚染された洗浄液をエアノズルにて水切りすると、水切り跡を発生させる原因となる。また、順次清浄度の高い洗浄液でシート状物を洗浄するためには、図７に示すように、エアノズル２、３と洗浄液供給ノズル２２との組み合わせを２組以上繰り返して設置しなければならないため、膨大なエア噴射量と、設置スペースが必要となる。
【特許文献１】特開２０００−２４６１９１号公報
【特許文献２】特開２００２−３４６４８５号公報
【発明の開示】
【発明が解決しようとする課題】
【０００８】
本発明の課題は、連続走行するシート状物の走行方向に対して１対のガス流で区切られる一定領域に供給ノズルから供給する洗浄液を、シート状物上の一定領域に滞留させ、上流と下流間での洗浄液の混合を抑制することにより、上流側から下流側へより清浄度の高い洗浄液へ移行して効率よく洗浄を行なうことができ、汚染された洗浄液が残留して生じる洗浄液斑等の発生を抑制することができ、また、ガスの使用量を増やすことなく、簡便な装置により安定して効率よく洗浄を行なうことができ、省スペース化を図ることができるシート状物の洗浄方法やこれに用いる洗浄装置、板状重合物の製造方法を提供することにある。
【課題を解決するための手段】
【０００９】
本発明者らは、上記目的を達成するべく鋭意研究の結果、洗浄液をシート状物の幅方向に対応したスリット状の開口を有する洗浄液供給ノズルから、洗浄液の供給量、すなわち、洗浄液の供給速度を特定の範囲として供給することにより、シート状物上の１対のガス流間に洗浄液を堆積させて滞留させ、その一定領域内の上流側と下流側との洗浄液の混合を抑制することにより、シート状物上面を上流側から下流側へ、より清浄度の高い洗浄液へ移行して行うことができることの知見を得た。更に、洗浄液供給ノズルの本数を増やすことにより、洗浄効果が飛躍的に高まり、従来、複数組のガス流を形成しその間に洗浄液を供給することにより、多段で洗浄を行なっていた装置を省略できることを見出した。さらに、適切な位置に洗浄剤飛散防止用仕切り板を設けることにより、ガス流による洗浄液せき止め部分と、洗浄液供給部分から飛散した洗浄液がシート状物の一定領域外に堆積することを抑制することができることの知見に基づき、本発明を完成するに至った。
【００１０】
すなわち本発明は、連続走行するシート状物の上面を洗浄液を用いて洗浄する際、シート状物上に設けられたガスノズルからガスを供給してシート状物の走行方向に対して一定領域を仕切る１対のガス流を形成し、この１対のガス流で仕切られた一定領域のシート状物上面にその幅方向に対応したスリット状の開口を有する洗浄液供給ノズルから洗浄液をシート状物の幅１ｍあたり５Ｌ／ｍｉｎ〜５０Ｌ／ｍｉｎで供給し、洗浄液供給ノズルから供給された洗浄液を１対のガス流間に位置するシート状物の上面に堆積、滞留させると共に、１対のガス流間のシート状物上に滞留する洗浄液の上流と下流間での混合を抑制することにより、シート状物上面を上流側から下流側へ向かってより清浄度の高い洗浄液へ移行して洗浄を行ない、下流側のガス流によりシート状物上面の洗浄液の除去を行なうことを特徴とするシート状物の洗浄方法に関する。
【００１１】
また、本発明は、実質的に水平に連続走行するシート状物上に設けられ、該シート状物の走行方向に対して一定領域を仕切る鉛直下向きの上流側ガス流と下流側ガス流とをそれぞれ形成する上流側ガスノズルおよび下流側ガスノズルと、上流側ガス流および下流側ガス流で仕切られた一定領域のシート状物上面に、その幅方向に対応したスリット状の開口を有する洗浄液を供給する洗浄液供給ノズルとを有する洗浄装置であって、洗浄液供給ノズルが、シート状物の走行方向に添って順次２以上が設けられたものであることを特徴とするシート状物の洗浄装置に関する。
【発明の効果】
【００１２】
本発明のシート状物の洗浄方法やシート状物の洗浄装置は、連続走行するシート状物の走行方向に対して１対のガス流で区切られる一定領域に供給ノズルから供給する洗浄液を、シート状物上の一定領域に堆積、滞留させ、上流と下流間での洗浄液の混合を抑制することにより、上流側から下流側へより清浄度の高い洗浄液へ移行して効率よく洗浄を行なうことができる。このため、汚染された洗浄液の残留に起因する洗浄斑等の発生を抑制することができる。また、複数の洗浄液で洗浄する際にも、多段でガス流を形成する必要がなく、洗浄液の供給、液せき止め時の液飛散・堆積を起こさない、簡便な装置により効率よく洗浄を行なうことができ、省スペース化を図ることができる。
【発明を実施するための最良の形態】
【００１３】
本発明のシート状物の洗浄方法を、図面を参照して説明する。図１は本発明のシート状物の洗浄方法を適用した洗浄装置の要部の模式的側面図、図２はその模式的上面図を示す。
【００１４】
本発明のシート状物の洗浄方法は、連続走行するシート状物１の上面を洗浄液を用いて洗浄する際、シート状物上に設けられたガスノズル２、３からガスを供給してシート状物の走行方向に対して一定領域を仕切る１対のガス流を形成し、この１対のガス流で仕切られた一定領域のシート状物上面にその幅方向に対応したスリット状の開口を有する洗浄液供給ノズル４、５から洗浄液をそれぞれシート状物の幅１ｍあたり５Ｌ／ｍｉｎ〜５０Ｌ／ｍｉｎで供給し、洗浄液供給ノズルから供給された洗浄液を１対のガス流間のシート状物の上面に堆積、滞留させると共に、１対のガス流間のシート状物上に滞留する洗浄液６、７、８の上流と下流間での混合を抑制することにより、シート状物上面を上流側から下流側へ向かってより清浄度の高い洗浄液へ移行して洗浄を行ない、下流側のガス流によりシート状物上面の洗浄液の除去を行なうものであれば、特に制限されるものではない。
【００１５】
本発明のシート状物の洗浄方法において、被洗浄物である連続走行するシート状物としては、一方向へ連続的に走行するシート状物であればよいが、モーターによって回転する１対の主プーリに懸架されたエンドレスベルトなどを挙げることができる。このシート状物は、水平方向のフラット性を保持されることが好ましく、シート状物の走行方向に沿って張力をかけることもできる。また、シート状物は水平であることが好ましいが、洗浄液によりシート状物の洗浄領域である一定領域に洗浄液を行き亘らせ堆積できる状態にすることができれば、傾斜状態であってもよい。
【００１６】
上記シート状物の走行方向は、シート状物の長手方向である。また、シート状物の走行速度としては、使用する洗浄液の種類、濃度、供給量などによりシート状物の汚染物の除去に要する時間や、シート状物上面の洗浄が行なわれる一定領域の走行方向の長さなどとの関係から定めることができる。シート状物上に堆積する洗浄液の安定性の観点、下流側ガスノズル３による洗浄液の除去・乾燥斑防止の観点から、例えば、２０ｍ／ｍｉｎ以下とすることができ、好ましくは１０ｍ／ｍｉｎ以下である。
【００１７】
シート状物の材質としては、例えば、樹脂、金属等いずれのものも使用できる。金属としては、例えば、オーステナイト系ステンレス鋼、マルテンサイト系ステンレス鋼、鉄鋼、アルミニウム、銅などを挙げることができ、これらの洗浄側の表面を研磨処理したものであってもよい。シート状物は高い剛性を有すると、水平状態での走行を維持することができるため好ましく、金属製の場合は、一般に、薄くても比較的高い剛性を有するので好ましい。シート状物の厚さとしては、０．１ｍｍ以上であることが好ましい。
【００１８】
また、このシート状物の長さは制限されるものではないが、連続的に走行するためには、エンドレスベルト状であると最も安定して、効率よく洗浄処理を行なうことができるため、好ましい。
【００１９】
被洗浄物であるシート状物の上面において、洗浄の対象となる一定領域としては、必要とされる洗浄時間や、後述する洗浄液供給ノズルの設けられる数などから、シート状物の走行速度を勘案して適宜選択することができる。シート状物の洗浄時間は、使用している洗浄液の種類、濃度、供給量からシート状物に堆積している汚染物を溶解する溶解速度によって選定することができる。必要洗浄時間にシート状物の走行速度を乗じて、シート状物長さ方向の洗浄距離を定めることができる。しかし洗浄距離を長く設定すると、雰囲気中に存在する塵・埃などの異物が洗浄液に混入するため、一定長に設定することが好ましい。例えば、シート状物の走行速度が１．５ｍ／ｍｉｎ、洗浄液供給ノズルが一つの場合、５００〜１５００ｍｍなどとすることができ、洗浄液供給ノズルが二つの場合、７００〜３０００ｍｍなどとすることができ、洗浄液供給ノズルが三つの場合、１０００〜４５００ｍｍなどとすることができる。
【００２０】
本発明のシート状物の洗浄方法に用いられるガス流は、シート状物の走行方向に対して一定領域を仕切る１対からなり、この１対のガス流間に、シート状物上面に供給された洗浄液を滞留させると共に、シート状物上の走行方向に対して一定領域の長さを定め、すなわち洗浄区間を画する。この洗浄区間長とシート状物の走行速度により洗浄時間が決められることになる。更に、下流側のガス流は、洗浄後の洗浄液をシート状物上面から除去する作用を有する。１対のガス流は上流のガスノズルと下流のガスノズルそれぞれから流出するガスにより形成される。ノズルの開口の形状としては、シート状物の幅方向に対応したスリット状が好ましく、スリット状の開口を有するスリットタイプガスノズルが、洗浄液をシート状物の一定領域に滞留させる効果が高いため好ましく、特に下流側のガスノズルとしては、洗浄液の除去乾燥性がよいため好ましい。ガスノズルとシート状物とのクリアランスは、ノズルの形式等により適宜選択できるが、クリアランスが狭すぎるとシート状物と接触してシート状物に傷が入る危険があり、反対に広すぎると圧縮ガス圧を高く設定する必要があり、コスト的に不利になるため、好ましくは１〜５０ｍｍである。
【００２１】
このガス流としては、洗浄液を滞留させる効果を高めるため、ガスノズルから圧縮ガスとして噴出するように加圧ガスが好ましい。圧縮ガスの圧力としてはガスノズルより噴出するガス圧による洗浄液飛沫が生じにくい範囲とすることが好ましい。ガスの供給量としては、洗浄液除去乾燥性や、ガスノズル形式やガスノズルとベルトとのクリアランスにより適宜選択することができ、例えば、ガスノズル長１ｍに対し、０．５〜５Ｎｍ3／ｍｉｎなどとすることができる。使用するガス種としては、空気や不活性ガスを挙げることができ、被洗浄物が酸素を嫌うものであれば、窒素に代表される不活性ガス等が好ましい。
【００２２】
本発明のシート状物の洗浄方法に用いる洗浄液は、１対のガス流で仕切られた一定領域のシート状物上面にその幅方向に対応したスリット状の開口を有する洗浄液供給ノズルから供給される。洗浄液供給ノズルの開口形状として、シート状物の幅方向に対応したスリット状の開口を有することが、被洗浄物のシート状物の幅全域に亘って洗浄液を供給することができ、好ましい。シート状物の幅方向に対応したスリット状の開口を有する洗浄液供給ノズルは、後述する洗浄液供給ノズルからの洗浄液の供給量を特定のものとすることと相俟って、シート状物上面に供給された洗浄液が飛沫などを生じにくく、そのまま堆積、滞留し、シート状物上面においてその上流側に堆積した洗浄液と下流側に堆積した洗浄液間の混合を抑制することができる。
【００２３】
更に、上記洗浄液供給ノズルとしては、シート状物の走行方向に添って順次２以上が設けられた洗浄液供給ノズル４、５（図１）であることが好ましい。複数の各洗浄液供給ノズルから、飛沫などの発生を抑制し、そのままシート状物上面に堆積、滞留するように洗浄液を供給し、シート状物上面においてその上流側と下流側間の混合を抑制する。このため、下流に設けられる洗浄液供給ノズルから供給される洗浄液がその上流の洗浄液供給ノズルから供給される洗浄液と混合されることが抑制され、シート状物がその走行に伴い順次洗浄されて汚染物の濃度が低くなり、従って、清浄度の高い洗浄を行なうことができる。
【００２４】
このような洗浄液供給ノズルからの洗浄液の供給量は、シート状物の幅１ｍあたり５Ｌ／ｍｉｎ〜５０Ｌ／ｍｉｎとする。洗浄液供給ノズルからの洗浄液の供給量がこの範囲であると、図２に示すように、洗浄液供給ノズルから供給された洗浄液を１対のガス流間に位置するシート状物の上面に堆積、滞留させると共に、シート状物上面に堆積可能な液量より過剰量がシート状物の側辺から流れ落ち、シート状物上の洗浄液は更新されるが、１対のガス流間のシート状物上に滞留する洗浄液の上流と下流間での混合を抑制することができ、シート状物上面を上流側から下流側へ向かってより清浄度の高い洗浄液へ移行して洗浄を行なうことができる。シート状物の側辺から流れ落ちた洗浄液は、図示しない水受けにより集められ、排出される。
【００２５】
また、洗浄液は、その粘度やシート状物との濡れ性等を考慮して適宜選択できる。
【００２６】
洗浄液の種類としては、シート状物に堆積する汚染物質により、その溶解性などから有機溶剤、アルコール類、純水等を適宜選択することができ、例えば、有機溶剤としてトルエン、アセトン、アルコール類としてエタノール、イソプロピルアルコール等を挙げることができる。水に溶解する汚染物質の洗浄には、洗浄液のコスト面と、廃液処理の容易さの面から純水が好ましく、洗浄後の洗浄斑を防止する観点からは、さらに導電率２μＳ／ｃｍ以下の純水であることが好ましい。ここで、導電率とは、単位長さ、単位面積の導体に電荷を印加したときに流れる電流の大きさを表し、Ｓ／ｃｍは断面積1ｃｍ2の電極２枚を１ｃｍの距離に離して置いたときの抵抗の逆数を示している。
【００２７】
また、本発明のシート状物の洗浄方法において、シート状物の幅全体に亘る洗浄液飛散防止用仕切り板を設け、洗浄液が１対のガス流で仕切られる一定領域外に飛散することを抑制し、また、洗浄液供給ノズルから吐出された洗浄液の飛散を抑制することが好ましい。図３、４に示すように、洗浄液が１対のガス流で仕切られる一定領域外に飛散することを抑制するためのガスノズル上部に設置する洗浄液飛散防止用仕切り板９、１０としては、ガス流により跳ねた洗浄液が洗浄液飛散防止用仕切り板を越えない高さを有する限り、重量を小さくする点から薄いことが好ましい。例えば０．３〜３ｍｍ厚の範囲で設定することができる。
【００２８】
また、洗浄液供給ノズルから吐出される洗浄液の飛散を抑制するために設けられる洗浄液飛散防止用仕切り板１１、１１′は、ガスノズルと洗浄液供給ノズルとの間に、シート状物の幅全体に亘って、より好ましくはシート状物の幅以上の幅を有して設けられたものが好ましい。
【００２９】
これらの洗浄液飛散防止用仕切り板９、１０、１１、１１′は少なくとも何れか一つが設けられていればよいが、洗浄液の飛散抑制を確実にするため、多い方が好ましい。
【００３０】
本発明のシート状物の洗浄装置は、本発明のシート状物の洗浄方法を適用するのに適した洗浄装置であって、実質的に水平に連続走行するシート状物上に設けられ、該シート状物の走行方向に対して一定領域を仕切る鉛直下向きの上流側ガス流と下流側ガス流とをそれぞれ形成する上流側ガスノズルおよび下流側ガスノズルと、上流側ガス流および下流側ガス流で仕切られた一定領域のシート状物上面に、その幅方向に対応したスリット状の開口を有する洗浄液を供給する洗浄液供給ノズルとを有する洗浄装置であって、洗浄液供給ノズルが、シート状物の走行方向に添って順次２以上が設けられたものである。本発明のシート状物の洗浄装置の一例としては、図１、図２に示すように、駆動方法（図示せず）により実質的に水平に、矢印の方向に走行するシート状物１上面に、洗浄液が搬送方向に対して上流側へ流れないようにするための上流側ガス流を噴出する上流側ガスノズル２、洗浄液を供給するスリット状の開口を有する洗浄液供給ノズル４、５、洗浄液をシート状物上の一定領域に堆積、滞留させると共に、洗浄液をシート状物上から除去乾燥を行う下流側ガス流を噴出する下流側ガスノズル３を備えたものを例示することができる。洗浄液供給ノズルの本数は、1本でもまた複数本でもよく、必要清浄度により選定すればよい。
【００３１】
洗浄液供給ノズル４からは洗浄液がシート状物１へと、シート状物の幅１ｍあたり５Ｌ／ｍｉｎ〜５０Ｌ／ｍｉｎで供給され、供給された洗浄液はシート状物上で上流側と下流側に別れて洗浄液６と洗浄液７となって堆積する。このとき、ガスノズル２、３からガス流が噴出され、洗浄液はガス流より上流側へは流出しない。シート状物に供給された洗浄液のうち、シート状物上に堆積できる量を超えた余剰の洗浄液はシート状物の側辺から落下する。洗浄液供給ノズル５から供給された洗浄液は、同様に洗浄液７と洗浄液８となって堆積する。即ち洗浄液７は洗浄液供給ノズル４から供給された洗浄液の内、洗浄液供給ノズル４より下流側に堆積した洗浄液の上に、供給ノズル５から供給された洗浄液の内、洗浄液供給ノズル５より上流側に吐出された洗浄液が堆積したものである。洗浄液７は洗浄液６より汚染物濃度が低くなり、同様に、洗浄液８中の汚染物の濃度は洗浄液７中の汚染物の濃度より低くなり、シート状物は下流に進行するに伴い、汚染物の濃度が低く清浄度が高い洗浄液で順次洗浄される。
【００３２】
本発明のシート状物の洗浄装置には、図３に示すように、上流側ガス流および下流側ガス流で仕切られる一定領域外に洗浄液が飛散することを抑制し、また、洗浄液供給ノズルから吐出される洗浄液の飛散を抑制する洗浄液飛散防止用仕切り板が設けられることが好ましい。洗浄液飛散防止用仕切り板としては、ガス流で仕切られる一定領域外に洗浄液が飛散することを抑制するため、シート状物の走行方向に対して一定領域を仕切る１対のガス流を形成する上流側のガスノズル上部、下流側のガスノズル上部、および、これらのガスノズルと洗浄液供給ノズルとの間から選ばれる少なくとも１箇所に、シート状物の幅全体に亘って設けることが好ましい。例えば上流側ガスノズル上部、下流側ガスノズル上部に設けられる洗浄液飛散防止用仕切り板９、１０を挙げることができる。洗浄液飛散防止用仕切り板９、１０としては、シート状物表面から跳ねた洗浄液が洗浄液飛散防止用仕切り板を越えない高さを有し、この高さを有する限り、重量を小さくする点から薄いことが好ましい。例えば０．３〜３ｍｍ厚の範囲で設定することができる。
【００３３】
また、洗浄液飛散防止用仕切り板として、洗浄液供給ノズルから吐出される洗浄液にガスノズルから噴出するガス流が直接接触したり、洗浄液供給ノズルから供給された洗浄液がシート状物において反射することによる洗浄液の飛散を抑制するため、上流側ガスノズル２と最上流側の洗浄液供給ノズルとの間、最下流側の洗浄液供給ノズルと下流側ガスノズル３との間に設けられる洗浄液飛散防止用仕切り板１１、１１′を挙げることができる。洗浄液飛散防止用仕切り板１１、１１′は、シート状物の幅全体に亘って設けられ、シート状物の幅以上の幅を有するものを選定することもできる。
【００３４】
これらの洗浄液飛散防止用仕切り板９、１０、１１、１１′の材質としては、例えば、樹脂、金属等いずれのものも使用することができるが、洗浄液が付着するため、洗浄液に対する耐性を有するものが好ましく、重量、剛性などの観点から適宜選定することが好ましい。
【００３５】
また、本発明の板状重合物の製造方法は、上記本発明のシート状物の洗浄方法を使用したものであれば、特に限定されるものではないが、相対するベルト面が同方向へ同一速度で走行するように配設された２個のエンドレスベルトの相対するベルト面と、それらの両側辺部のベルト面で挟まれた状態で走行する連続したガスケットとで囲まれた空間に、その一端から重合性原料を供給し、加熱ゾーン内でベルトの走行と共に重合性原料を固化させ、その他端より板状重合物を取り出す板状重合物の製造方法であることが好ましく、重合性原料としてメタクリル酸メチルを含むものを好適に挙げることができる。この板状重合物の製造方法を適用した連続製板装置において、例えば厚さ１．０ｍｍ以上のステンレス鋼板からなる鏡面研磨された２個のエンドレスベルトの相対するベルト面のうちの少なくとも一方の面を、本発明のシート状物の洗浄方法により洗浄することにより、汚れの少ない外観上優れた板状重合物を得ることができる。
【実施例】
【００３６】
以下、本発明を実施例により更に詳しく説明するが、本発明の技術的範囲はこれらに限定されるものではない。
【００３７】
以下の記載において「％」は「質量％」を、「部」は「質量部」を示す。
［実施例１］
重合率２０％のメタクリル酸メチルシラップ（粘度１Ｐａ・ｓ、２０℃）１００部に、重合開始剤としてtert-ヘキシルパーオキシピバレート（日本油脂(株)製、商品名：パーヘキシルＰＶ）０．１部、離型剤としてジオクチルスルホコハク酸ナトリウム０．００５部を加えて均一に混合し、液状の重合性原料を得た。この重合性原料を真空容器内で脱泡し、以下の板状製品製造装置を用いて、厚さ２ｍｍ、幅１３００ｍｍの板状製品を製造した。
【００３８】
板状製品製造装置には、図４に示すように、全長１００ｍ、厚さ１．５ｍｍ、幅１．５ｍの２個のステンレス製エンドレスベルト１３、１３′が、主プーリ１４、１５間、１４′、１５′間に懸架されて設けられている。エンドレスベルト１３、１３′はそれぞれ主プーリ１４、１４′によって油圧で上下共３ｋｇ／ｍｍ2の張力が与えられ、かつ主プーリ１５、１５′で搬送されるようになっている。また、ポリ塩化ビニル製のガスケット１６が設置されている。
【００３９】
図４に示すようにエンドレスベルト１３、１３′の相対する両面は左から右方向へと一定速度で走行し、左側のエンドレスベルト１３、１３′が重なる直前の位置に、ノズル１８を通って上記液状の重合性原料をエンドレスベルト１３′上に供給するポンプ１７、８０℃の温水スプレーによる４８ｍの加熱ゾーン１９、１９′、遠赤外線ヒータによる１５ｍの加熱処理部２０、２０′が設けられている。
【００４０】
図４のエンドレスベルト１３の左側上部に洗浄装置１２を以下のように設置した。上流側ガスノズル２は、幅方向に１５００ｍｍのスリットを有し、スリットクリアランス０．１ｍｍを有するものを用い、エンドレスベルト１３の表面から１５ｍｍ離れた位置に、ガスノズル角度がエンドレスベルト１３に対し鉛直下向きになるように設置し、このガスノズルから流量１．２Ｎｍ3／ｍｉｎでエアを噴出した。
【００４１】
下流側ガスノズル３は、上流側ガスノズル２と同じものを使用し、上流側ガスノズル２から７００ｍｍ下流で、エンドレスベルト１３の表面から１０ｍｍ離れた位置に、ガスノズル角度がエンドレスベルト１３に対し鉛直下向きになるように設置し、このガスノズルから流量１．８Ｎｍ3／ｍｉｎでエアを噴出した。
【００４２】
洗浄液供給ノズル４は、上流側ガスノズル２と同じものを使用し、洗浄液供給ノズル取り付け位置は上流側ガスノズル２と下流側ガスノズル３の中間位置に、エンドレスベルト１３の表面から２０ｍｍ離し、洗浄液供給ノズル角度がエンドレスベルト１３に対して鉛直下向きになるように設置した。洗浄液供給ノズルは１本のみ使用した。
【００４３】
洗浄液として通常の水道水を用い、流量３０Ｌ／ｍｉｎで供給し、エンドレスベルト１３の走行速度は１．４ｍ／ｍｉｎとした。
【００４４】
洗浄液供給ノズル４からはカーテン状に洗浄液が安定供給され、ガスノズル２、３の外側に洗浄液の漏れは見られず、エンドレスベルト１３上に堆積した洗浄液は、洗浄液供給ノズル４の上流側で薄く白色の濁りを確認したが、下流側での濁りは確認できなかった。ガスノズル３による洗浄液の除去・乾燥部分、ガスノズル２による洗浄液せき止め部分、またガスノズル２、３から噴出するエアが洗浄液供給ノズル４へあたる洗浄液供給部分で、突発的に微小水滴の飛沫等が発生した。しかし、これらの水滴は微小であることから、ガスノズル３による洗浄液の除去・乾燥は良好であった。ガスノズル３を通過したエンドレスベルト１３上には、目視にて確認できる洗浄斑等は認められなかった。
［実施例２］
洗浄水として導電率２μＳ／ｃｍの純水を使用した他は、実施例１と同じ条件にてエンドレスベルト１３の洗浄を実施し、板状製品の製造を行った。
【００４５】
実施例１同様、洗浄液供給ノズル４からはカーテン状に洗浄液が供給され、ガスノズル２、３の外側に洗浄液の漏れは見られず、エンドレスベルト１３上に堆積した洗浄液は、洗浄液供給ノズル４の上流側で薄く白色の濁りが確認できたが、下流側での濁りは確認できなかった。洗浄液の飛沫についても実施例１と同様で、ガスノズル３を通過したエンドレスベルト１３上には、目視にて確認できる洗浄斑、水滴跡等は認められなかった。
［実施例３］
実施例１で用いたものと同じ洗浄液供給ノズルを２本使用し、上流側ガスノズルと下流側ガスノズル間距離を１３００ｍｍとし、洗浄液供給ノズル取り付け位置をガスノズル２から４００ｍｍ下流と、ガスノズル３から４００ｍｍ上流とし、上流側洗浄液供給ノズル４からは洗浄液として通常の水道水を、流量３０Ｌ／ｍｉｎで供給し、下流側洗浄液供給ノズル５からは洗浄液として導電率２μＳ／ｃｍの純水を、流量３０Ｌ／ｍｉｎで供給した他は、実施例１と同様の条件でエンドレスベルト１３の洗浄を実施し、板状製品の製造を行った。
【００４６】
洗浄液供給ノズル４、５からはカーテン状に洗浄液が安定供給され、ガスノズル２、３の外側に洗浄液の漏れは見られず、エンドレスベルト１３上に堆積した洗浄液は、洗浄液供給ノズル４の上流側で薄く白色の濁りが確認できたが、洗浄液供給ノズル４の下流側での濁りは確認できなかった。ガスノズル３による洗浄液の除去・乾燥部分、ガスノズル２による洗浄液せき止め部分、またガスノズル２、３から噴出すエアが洗浄液供給ノズル４、５へあたる洗浄液供給部分で、突発的に微小水滴の飛沫等が発生した。しかし、これらの水滴は微小であることから、ガスノズル３を通過したエンドレスベルト１３上には、目視にて確認できる洗浄斑、水滴跡等は認められなかった。
［実施例４］
図５に示す仕切り板９（ステンレス製；幅１５００ｍｍ、高さ１０００ｍｍ、厚さ２ｍｍ）を設置した以外は実施例３と同じ条件にてエンドレスベルト１３の洗浄を実施し、板状製品の製造を行った。
【００４７】
洗浄液供給ノズル４、５からはカーテン状に洗浄液が供給され、ガスノズル２、３の外側に洗浄液の漏れは見られず、エンドレスベルト１３上に堆積した洗浄液は、洗浄液供給ノズル４の上流側で薄く白色の濁りが確認できたが、洗浄液供給ノズル４の下流側での濁りは確認できなかった。ガスノズル２による洗浄液せき止め部分において飛散した水滴は仕切り板９にあたり、ガスノズル３の下流側のエンドレスベルト１３上に水滴が堆積することはなくなったが、ガスノズル３による洗浄液除去・乾燥部分、洗浄液供給部分で、突発的に発生する微小水滴の飛沫等は１対のガス流で仕切られた一定領域の上流側のエンドレスベルト１３上に堆積する結果となった。しかし、これらの水滴は微小であることから、ガスノズル３を通過したエンドレスベルト１３上には、目視にて確認できる洗浄斑、水滴跡等は認められなかった。
［実施例５］
図５に示す仕切り板１０（ステンレス製；幅１５００ｍｍ、高さ１０００ｍｍ、厚さ２ｍｍ）を設置した以外は実施例４と同じ条件にてエンドレスベルト１３の洗浄を実施し、板状製品の製造を行った。
【００４８】
洗浄液供給などに関しては実施例４と同様の結果となった。ガスノズル２による洗浄液せき止め部分、ガスノズル３による洗浄液除去・乾燥部分、洗浄液供給部分で突発的に飛散した微小水滴も仕切り板９、１０に当たるため、ガスノズル２、３で仕切られる一定領域外のエンドレスベルト上に水滴が堆積することはなかった。ガスノズル３を通過したエンドレスベルト１３上には、目視にて確認できる洗浄斑、水滴跡等は認められなかった。
［実施例６］
図５に示す仕切り板１１、１１′（各々ステンレス製；幅１５００ｍｍ、高さ１０００ｍｍ、厚さ２ｍｍ）を設置した以外は実施例５と同じ条件にてエンドレスベルト１３の洗浄を実施し、板状製品の製造を行った。
【００４９】
仕切り板１１、１１′の設置により、ガスノズル２、３から噴き出すエアが洗浄液供給ノズル４、５へあたることを防ぐため、洗浄液供給ノズル４、５より供給される洗浄液は実施例１〜５に比較してさらに安定してカーテン状に供給され、洗浄液供給時に発生する水滴の飛沫が抑制された。飛沫した水滴も仕切り板１１、１１′にあたるため、大きく飛散することはなかった。ガスノズル２、３の外側に洗浄液の漏れは見られず、エンドレスベルト１３上に堆積した洗浄液は、洗浄液供給ノズル４の上流側で薄く白色の濁りが確認できたが、洗浄液供給ノズル４の下流側での濁りは確認できなかった。ガスノズル２による洗浄液せき止め部分、ガスノズル３による洗浄液除去・乾燥部分から飛散した微小水滴も仕切り板９、１０に当たるため、ガスノズル２、３で仕切られる一定領域外のエンドレスベルト上に水滴が堆積することはなかった。ガスノズル３を通過したエンドレスベルト１３上には、目視にて確認できる洗浄斑、水滴跡等は認められなかった。
［比較例１］
洗浄液供給ノズルとしてスリット形状のノズルの代わりに、図６に示すように円形ノズル４本を使用した。洗浄液供給ノズル２１は、エンドレスベルト１の幅方向、ベルト端辺から３００ｍｍ間隔で配置し、洗浄液として通常の水道水を各ノズルから７．５Ｌ／ｍｉｎで供給した。
【００５０】
洗浄液供給ノズル２１から供給された洗浄液は、ガスノズル２，３からのエアの影響により乱れが発生し、乱れて供給された洗浄液はエンドレスベルト１上に堆積する洗浄液と衝突することで水はねが大量に発生した。また、エンドレスベルト１上に堆積している洗浄液については、洗浄液供給ノズル２１の上流側で確認できる薄い白色濁りが、洗浄液供給ノズル２１のノズル間から抜け出し、洗浄液供給ノズル２１の下流側に移動するのが確認された。ガスノズル３を通過し洗浄液の除去・乾燥されたエンドレスベルト１上には、エンドレスベルト１の走行方向に白いスジが目視にて確認できた。それとともに、ガスノズル３、ガスノズル２による洗浄液の飛散および、洗浄液供給部分での大量の洗浄液飛散によりエンドレスベルト１上に多くの水滴が堆積し、ガスノズル３を通過し洗浄液の除去・乾燥されたエンドレスベル１３上には、円形の水滴跡も目視にて確認された。
［評価］
洗浄前後の製品について１ｍ角の板状製品３枚採取し、目視判定、冷却結露判定、濡れ張力試験を実施し、合わせて運転時の安定性、製品としての可否を判断した。各条件における評価結果は、板状製品３枚の平均をとった。なお、評価に使用した板状製品はそれぞれ、製品板０（各洗浄前）、製品板１〜６（実施例１〜６）、製品板１１（比較例１）とした。結果を表１に示す。
（１）目視判定は、ＪＩＳ規格ＪＩＳ−Ｚ０３０５鉄鋼の化学的清浄方法内の目視法に基づいて実施した。すなわち、白色光源による一定の間接照明が得られる場所において、清浄にした面を目から約３０ｃｍ離して観察し、目視によって表面に残存している汚れのまたは清浄状態を、以下のように評価した。
Ａ：汚れがなく清浄
Ｃ：汚れが明確
（２）冷却結露判定は、あらかじめ評価対象物の製品板を冷却させた後、常温の部屋に戻すことによって、製品板表面に結露を発生させ、評価対象物の濡れ性の違いを以下のように判定することにより、表面清浄状態を評価した。
【００５１】
AA：洗浄斑が見られない
Ａ：洗浄斑が僅かに認められる
Ｂ：洗浄斑が少し認められる
Ｃ：洗浄斑が明確に認められる
Ｄ：製品板全面が白濁して洗浄斑が認められない
（３）濡れ張力試験は、ＪＩＳ−Ｋ６７６８プラスチック―フィルム及びシート―濡れ張力試験方法に基づいて実施したもので、製品板の試験表面の濡れ張力に対し、これと近似する濡れ張力試験標準液の表面張力を測定して評価した。単位はｍＮ／ｍで表し、数値が大きいほど濡れ性が高いと判断できる。
（４）洗浄液飛散状況は洗浄運転時におけるガスノズル２、３のエアによる洗浄液の飛散、洗浄液供給ノズルからの供給時の洗浄液飛散、また飛散した洗浄液がガスノズル２、３の領域外に堆積した量から総合的に判断した。飛散する洗浄液の清浄度の違いなどあるため、この判定が直接製品評価へ結びつくものではないが、洗浄装置の運転安定性に関する指標とすることができる。
【００５２】
◎：洗浄液の飛散がほとんどなく、ベルト１３上への液滴堆積もない
○：洗浄液の飛散はあるが、ベルト１３上への液滴堆積はない
□：洗浄液の飛散があり、ベルト１３上への液滴堆積は僅かにある
△：洗浄液の飛散があり、ベルト１３上への液滴堆積は少しある
×：洗浄液の飛散が多量あり、ベルト１３上への液滴堆積も大量にある
―：洗浄操作を実施していない
（５）製品として使用できるかを前記（１）、（２）、（３）の結果から以下のように総合評価した。
◎：製品として非常に優れたものである
○：製品として優れたものである
□：製品として平均的なものである
△：製品として劣る
×：製品として使用できない
【００５３】
【表１】
2006290620.tif 000003
結果から、実施例１〜６において、洗浄前よりも洗浄後の製品評価が向上したことが明らかになった。製品板０においては、全面に斑なく目視において白色の汚染が見受けられ洗浄斑は認められなかった。製品板１においては、汚染物質が除去され目視判定において良好な結果を得ているが、冷却結露判定を実施した際には、ガスノズル３によって洗浄液を除去・乾燥する際の洗浄斑が板状製品の濡れ性の違いとして少し確認された。製品板２においては、洗浄液の清浄度も高くなっているため、製品評価では良好な結果が得られているが、洗浄時の液飛散による乾燥したベルト上への洗浄液滴堆積により、冷却結露判定においてわずかに水滴跡が確認された。製品板３においては、実施例３において実施例２と比較して洗浄領域が増加していることにより、さらに汚染物質の除去がなされたと考えられる。その結果として濡れ張力試験においては、製品板２と比較して張力が低く、そして差が小さくなっている。製品板４においては、実施例３に加えて仕切り板９を設置したことにより、ガスノズル３の下流側への洗浄液堆積がなくなることで、冷却結露判定での結果が改善された。上流側への洗浄液堆積は依然確認されているが、冷却結露判定において洗浄斑が確認されない理由としては、上流側へ飛散する洗浄液は、洗浄液の除去・乾燥を行うガスノズル３からの飛散がほとんどであり、飛散した洗浄液が清浄になっていること、さらに洗浄液滴跡が発生していたとしてもその後に洗浄領域を通過することから洗浄斑として確認されなかったと考える。また、濡れ張力試験において製品板３との違いが認められなかったのは、ある程度の範囲をまとめて測定する試験方法であるため、微小液滴が堆積した程度の大きさに関しては、違いを検知できないものと考える。製品板５においては、仕切り板９、１０を設置することで、洗浄の上流、下流への洗浄液の飛散・堆積は確認されず、全てにおいて良好な結果を得た。製品板６に関しても、製品としての評価は製品板５と変わらず、洗浄操作の安定性の面で、洗浄液供給時の液飛散がないため優れている。
【００５４】
製品１１については、エンドレスベルト上に堆積していた汚れが一度溶解されるものの、汚れを含んだ洗浄液がそのままガスノズル３によって除去・乾燥されることとなった。そのため、洗浄前の製品板０では均一に広がっていた汚染物質が局所的に再堆積することで、余計に製品として問題を引き起こす結果となった。洗浄液供給時の液飛散も多いことから、汚染物質がさらにベルト上に堆積する結果となった。
【図面の簡単な説明】
【００５５】
【図１】本発明のシート状物の洗浄方法を適用した洗浄装置の一例の模式的側面図を示す図である。
【図２】本発明のシート状物の洗浄方法を適用した洗浄装置の一例の模式的上面図を示す図である。
【図３】本発明のシート状物の洗浄方法を適用した洗浄装置の他の例の模式的側面図を示す図である。
【図４】本発明のシート状物の洗浄方法を適用したベルト式連続製板装置の模式的側断面図を示す図である。
【図５】本発明のシート状物の洗浄方法を適用した他のベルト式連続製板装置の模式的側断面図を示す図である。
【図６】比較例１の円形洗浄液供給ノズルを設けた洗浄装置の上面図を示す図である。
【図７】従来例の洗浄装置の模式図を示す図である。
【符号の説明】
【００５６】
１  シート状物
２  ガスノズル（上流側）
３  ガスノズル（下流側）
４、５  洗浄液供給ノズル
６、７、８  洗浄液
９  、１０、１１、１１′  洗浄液飛散防止仕切り板
１２、１２′  洗浄装置
【図１】
2006290620.tif 000004
【図２】
2006290620.tif 000005
【図３】
2006290620.tif 000006
【図４】
2006290620.tif 000007
【図５】
2006290620.tif 000008
【図６】
2006290620.tif 000009
【図７】
2006290620.tif 000010